(57)【特許請求の範囲】
【請求項１】
画像を出力する画像出力手段と、
外部装置と通信する通信手段と、
画像データの内容を示す画像の描画領域内の複数の部分領域のうち、第１の画像データの内容を示す画像の描画領域内の部分領域である第１の部分領域である第１の部分領域と、前記通信手段が通信した外部装置のうち、一の外部装置に対応する登録情報と、を対応付けて記憶し、かつ、第２の画像データの内容を示す画像の描画領域内の部分領域である第２の部分領域と、前記一の外部装置に対応する登録情報と、を対応付けて記憶する登録情報記憶手段と、
前記外部装置が送信した通信要求入力を前記通信手段が受信した場合に、前記通信手段が受け付けた通信要求入力の送信元である外部装置を特定する入力を受け付けたものとする第１の入力受付手段と、
前記第１の画像データの内容を示す画像であって、前記第１の部分領域が、同画像内における他の部分領域とは異なる態様である画像を前記出力制御手段が前記画像出力手段に出力させた後に、前記第２の画像データの内容を示す画像の表示に対応する入力を受け付ける第２の入力受付手段と、
前記外部装置を特定する入力を前記第１の入力受付手段が受け付けた場合に、前記第１の入力受付手段が受け付けた入力が特定する外部装置に対応する登録情報に前記部分領域が対応付けられている画像データの内容を示す画像であって、前記第１の入力受付手段が受け付けた入力が特定する外部装置に対応する登録情報に対応付けられている部分領域が、同画像内における他の部分領域とは異なる態様である画像を前記画像出力手段に出力させる出力制御手段と、
を備え、
前記出力制御手段は、前記登録情報記憶手段が、それぞれ異なる外部装置に対応する複数の登録情報を記憶している場合に、前記複数の登録情報に前記部分領域が対応付けられている画像データの内容を示す画像であって、前記複数の登録情報それぞれに対応する前記複数の部分領域が互いに区別可能な態様である画像を出力させ、
前記出力制御手段は、前記第２の入力受付手段が入力を受け付けた場合に、前記第２の画像データの内容を示す画像であって、前記第２の部分領域が、同画像内における他の部分領域とは異なる態様である画像を前記画像出力手段に出力させる、通信装置。
【請求項２】
前記部分領域と、前記通信手段が通信した外部装置に対応する登録情報と、を対応付けて前記登録情報記憶手段に記憶させる登録情報記憶制御手段を備える、請求項１に記載の情報処理装置。
【請求項３】
前記画像出力手段が画像データの内容を示す画像を出力した後に、前記画像出力手段が出力した画像の描画領域内の複数の部分領域のうちいずれかに対応する入力を受け付ける第３の入力受付手段と、
複数の前記外部装置のうちいずれかに対応する入力を受け付ける第４の入力受付手段と、
を備え、
前記登録情報記憶制御手段は、前記第３の入力受付手段が受け付けた入力が対応する部分領域と、前記第４の入力受付手段が受け付けた入力が対応する外部装置に対応する登録情報と、を対応付けて前記登録情報記憶手段に記憶させる、請求項１から２のいずれかに記載の情報処理装置。
【請求項４】
前記通信手段による通信の開始に対応する入力を受け付ける第５の入力受付手段と、
前記第５の入力受付手段が入力を受け付けた場合に、前記第５の入力受付手段が受け付けた入力が対応する部分領域に対応する登録情報が対応する外部装置と通信するよう、前記通信手段を制御する通信制御手段と、
を備える、請求項１から３のいずれかに記載の情報処理装置。
【請求項５】
前記出力制御手段は、一の外部装置に対応する登録情報が、第１の画像データの内容を示す画像の描画領域内の部分領域と対応付けて前記登録情報記憶手段に記憶させられており、かつ、他の外部装置に対応する登録情報が、前記第１の画像データの内容を示す画像の描画領域内の部分領域と対応付けて前記登録情報記憶手段に記憶させられており、さらには、前記一の外部装置に対応する登録情報が、第２の画像データの内容を示す画像の描画領域内の部分領域と対応付けて前記登録情報記憶手段に記憶させられており、かつ、他の外部装置に対応する登録情報が、前記第１の画像データの内容を示す画像の描画領域内の部分領域と対応付けて前記登録情報記憶手段に記憶させられていない場合に、前記第１の画像データの内容を示す画像を、前記第２の画像データの内容を示す画像よりも優先して前記画像出力手段に出力させる、請求項１から４のいずれかに記載の通信装置。
【請求項６】
画像を出力する画像出力手段と、
外部装置と通信する通信手段と、
画像データの内容を示す画像の描画領域内の複数の部分領域のうち、第１の画像データの内容を示す画像の描画領域内の部分領域である第１の部分領域である第１の部分領域と、前記通信手段が通信した外部装置のうち、一の外部装置に対応する登録情報と、を対応付けて記憶し、かつ、第２の画像データの内容を示す画像の描画領域内の部分領域である第２の部分領域と、前記一の外部装置に対応する登録情報と、を対応付けて記憶する登録情報記憶手段と、
前記外部装置が送信した通信要求入力を前記通信手段が受信した場合に、前記通信手段が受け付けた通信要求入力の送信元である外部装置を特定する入力を受け付けたものとする第１の入力受付手段と、
前記第１の画像データの内容を示す画像であって、前記第１の部分領域が、同画像内における他の部分領域とは異なる態様である画像を前記出力制御手段が前記画像出力手段に出力させた後に、前記第２の画像データの内容を示す画像の表示に対応する入力を受け付ける第２の入力受付手段と、
を備える情報処理装置に実行させる情報処理プログラムであって、
前記情報処理装置を、
前記外部装置を特定する入力を前記第１の入力受付手段が受け付けた場合に、前記第１の入力受付手段が受け付けた入力が特定する外部装置に対応する登録情報に前記部分領域が対応付けられている画像データの内容を示す画像であって、前記第１の入力受付手段が受け付けた入力が特定する外部装置に対応する登録情報に対応付けられている部分領域が、同画像内における他の部分領域とは異なる態様である画像を前記画像出力手段に出力させる出力制御手段と、
して機能させ、
前記出力制御手段は、前記登録情報記憶手段が、それぞれ異なる外部装置に対応する複数の登録情報を記憶している場合に、前記複数の登録情報に前記部分領域が対応付けられている画像データの内容を示す画像であって、前記複数の登録情報それぞれに対応する前記複数の部分領域が互いに区別可能な態様である画像を出力させ、
前記出力制御手段は、前記第２の入力受付手段が入力を受け付けた場合に、前記第２の画像データの内容を示す画像であって、前記第２の部分領域が、同画像内における他の部分領域とは異なる態様である画像を前記画像出力手段に出力させる、情報処理プログラム。
【請求項７】
画像を出力する画像出力手段と、
外部装置と通信する通信手段と、
画像データの内容を示す画像の描画領域内の複数の部分領域のうち、第１の画像データの内容を示す画像の描画領域内の部分領域である第１の部分領域である第１の部分領域と、前記通信手段が通信した外部装置のうち、一の外部装置に対応する登録情報と、を対応付けて記憶し、かつ、第２の画像データの内容を示す画像の描画領域内の部分領域である第２の部分領域と、前記一の外部装置に対応する登録情報と、を対応付けて記憶する登録情報記憶手段と、
前記外部装置が送信した通信要求入力を前記通信手段が受信した場合に、前記通信手段が受け付けた通信要求入力の送信元である外部装置を特定する入力を受け付けたものとする第１の入力受付手段と、
前記第１の画像データの内容を示す画像であって、前記第１の部分領域が、同画像内における他の部分領域とは異なる態様である画像を前記出力制御手段が前記画像出力手段に出力させた後に、前記第２の画像データの内容を示す画像の表示に対応する入力を受け付ける第２の入力受付手段と、
前記外部装置を特定する入力を前記第１の入力受付手段が受け付けた場合に、前記第１の入力受付手段が受け付けた入力が特定する外部装置に対応する登録情報に前記部分領域が対応付けられている画像データの内容を示す画像であって、前記第１の入力受付手段が受け付けた入力が特定する外部装置に対応する登録情報に対応付けられている部分領域が、同画像内における他の部分領域とは異なる態様である画像を前記画像出力手段に出力させる出力制御手段と、を備え、
前記出力制御手段は、前記登録情報記憶手段が、それぞれ異なる外部装置に対応する複数の登録情報を記憶している場合に、前記複数の登録情報に前記部分領域が対応付けられている画像データの内容を示す画像であって、前記複数の登録情報それぞれに対応する前記複数の部分領域が互いに区別可能な態様である画像を出力させ、
前記出力制御手段は、前記第２の入力受付手段が入力を受け付けた場合に、前記第２の画像データの内容を示す画像であって、前記第２の部分領域が、同画像内における他の部分領域とは異なる態様である画像を前記画像出力手段に出力させる、情報処理システム。
【発明の詳細な説明】
【技術分野】
【０００１】
本発明は、通信装置、通信プログラム、及び通信システムに関するものである。
【背景技術】
【０００２】
特許文献１には、相手先情報と共に画像が予め登録されている相手であれば、着信履歴に相手の顔写真等の画像を合わせて表示できる携帯電話端末が記載されている。
【特許文献１】特開２００７−６８２３４号公報
【発明の開示】
【発明が解決しようとする課題】
【０００３】
しかしながら、特許文献１に記載される携帯電話端末は、表示された顔写真等の画像によって着信相手を視覚的に把握することができるものの、それ以外の情報、例えば、自分との関係や、第三者との関係などを知ることはできず、その相手に対する把握を困難にするという問題点があった。
【０００４】
本発明は、上述した問題点を解決するためになされたものであり、画像に対応する登録情報について容易に把握し得る情報処理装置、情報処理プログラム、及び、情報処理システムを提供することを目的とする。
【課題を解決するための手段】
【０００５】
この目的を解決するために、請求項１記載の情報処理装置は、画像を出力する画像出力手段と、外部装置と通信する通信手段と、画像データの内容を示す画像の描画領域内の複数の部分領域のうち、第１の画像データの内容を示す画像の描画領域内の部分領域である第１の部分領域である第１の部分領域と、前記通信手段が通信した外部装置のうち、一の外部装置に対応する登録情報と、を対応付けて記憶し、かつ、第２の画像データの内容を示す画像の描画領域内の部分領域である第２の部分領域と、前記一の外部装置に対応する登録情報と、を対応付けて記憶する登録情報記憶手段と、前記外部装置が送信した通信要求入力を前記通信手段が受信した場合に、前記通信手段が受け付けた通信要求入力の送信元である外部装置を特定する入力を受け付けたものとする第１の入力受付手段と、前記第１の画像データの内容を示す画像であって、前記第１の部分領域が、同画像内における他の部分領域とは異なる態様である画像を前記出力制御手段が前記画像出力手段に出力させた後に、前記第２の画像データの内容を示す画像の表示に対応する入力を受け付ける第２の入力受付手段と、前記外部装置を特定する入力を前記第１の入力受付手段が受け付けた場合に、前記第１の入力受付手段が受け付けた入力が特定する外部装置に対応する登録情報に前記部分領域が対応付けられている画像データの内容を示す画像であって、前記第１の入力受付手段が受け付けた入力が特定する外部装置に対応する登録情報に対応付けられている部分領域が、同画像内における他の部分領域とは異なる態様である画像を前記画像出力手段に出力させる出力制御手段と、を備え、前記出力制御手段は、前記登録情報記憶手段が、それぞれ異なる外部装置に対応する複数の登録情報を記憶している場合に、前記複数の登録情報に前記部分領域が対応付けられている画像データの内容を示す画像であって、前記複数の登録情報それぞれに対応する前記複数の部分領域が互いに区別可能な態様である画像を出力させ、前記出力制御手段は、前記第２の入力受付手段が入力を受け付けた場合に、前記第２の画像データの内容を示す画像であって、前記第２の部分領域が、同画像内における他の部分領域とは異なる態様である画像を前記画像出力手段に出力させる。
【０００６】
【０００７】
【０００８】
【０００９】
【００１０】
【００１１】
【００１２】
【００１３】
【００１４】
【００１５】
【００１６】
【００１７】
【発明の効果】
【００１８】
請求項１記載の情報処理装置、請求項６記載の情報処理プログラム、請求項７記載の情報処理システムによれば、一の登録情報だけでなく、他の登録情報にも対応付けられている画像データの内容を画像出力手段が出力した場合に、一の登録情報に対応する領域が、他の登録情報に対応する領域と異なる態様で区別されるので、一の登録情報に対応する領域を容易に特定することができるという効果がある。また、その際、画像出力手段が出力した画像を参照し、一の登録情報に対応する領域と、他の登録情報に対応する領域とを比較することによって、一の登録情報に関する間接的な情報を得ることができるという効果がある。
【００１９】
【００２０】
請求項１記載の通信装置によれば、通信先となる外部装置に関する登録情報について、上記の効果を奏する。請求項１記載の通信装置によれば、上記の通信装置の奏する効果に加えて、次の効果を奏する。１の画像内において、複数の通信先に対する各領域が互いに区別可能な態様で出力されるので、ユーザは、１の画像から複数の通信先が存在することを知ることができると共に、それらの通信先の関係を１の画像から直感的に把握することができるという効果がある。請求項１記載の通信装置によれば、上記載の通信装置の奏する効果に加えて、次の効果を奏する。１の通信先の登録情報が対応付けられている画像が複数存在する場合には、そのうちの１の画像を画像出力手段が出力するので、画像を大きく出力することができ、通信先を特定し易いという効果がある。また、複数の画像の中から１の画像を必要に応じて選択できるので、容易に画像選択を行い得るという効果がある。
【００２１】
請求項４記載の通信装置によれば、上位の請求項に記載の通信装置の奏する効果に加えて、次の効果を奏する。画像出力手段が出力した画像を基に通信開始指示を入力できるので、通信先に関する情報を画像に基づいてよく把握した上で通信を開始することができるという効果がある。
【００２２】
【００２３】
【００２４】
【００２５】
【００２６】
【００２７】
【００２８】
請求項５記載の通信装置によれば、上位の請求項に記載の通信装置の奏する効果に加えて、次の効果を奏する。通信先の登録情報が対応付けられている画像が複数存在する場合には、通信先のうち２以上の通信先を示す登録情報に対応付けられている画像を優先的に出力するので、効率的に通信要求をしてきた通信先を知ることができるという効果がある。
【００２９】
【００３０】
【００３１】
【発明を実施するための最良の形態】
【００３２】
以下、本発明の好ましい実施形態について、添付図面を参照して説明する。図１は、本発明の第１実施形態における多機能周辺装置（以下、「ＭＦＰ（Ｍｕｌｔｉ  Ｆｕｎｃｔｉｏｎ  Ｐｅｒｉｐｈｅｒａｌ）」と称する）１の外観構成を示した斜視図である。
【００３３】
ＭＦＰ１は、電話回線網１００（図２参照）と接続されて電話機能による通話やファクシミリ機能によるデータ送信を行うことができるだけでなく、スキャナ機能、コピー機能、ＰＣプリント機能、及びメディアプリント機能などの各種機能を有する装置である。なお、以下で詳細に説明するが、本実施形態のＭＦＰ１は、通信先となる相手（通信要求してきた相手又は通信要求をしようとする相手）についての把握を容易化する装置として構成されている。
【００３４】
ＭＦＰ１の上部には、ファクシミリ機能、スキャナ機能、又は、コピー機能の実行時に原稿を読み取るためのスキャナ２０が配置されている。原稿カバー体８の下側には、原稿を載置するための載置用ガラス板が設けられており、原稿を読み取る場合は、原稿カバー体８を上側に開き、載置用ガラス板上に原稿を載置し、原稿カバー体８を閉じて原稿を固定する。
【００３５】
そして、ユーザにより原稿の読み取りが指示されると、載置用ガラス板の下側に設けられている原稿読取り用のセンサー（図示せず）により原稿紙面の画像が読み取られる。読み取られた画像データは後述のＲＡＭ１３（図２参照）における所定の記憶領域に記憶される。
【００３６】
また、筐体内部には記録用紙に画像を印刷する装置として、所謂インクジェットプリンタで構成されたプリンタ２１が内蔵されている。プリンタ２１は、Ｃ（シアン）、Ｍ（マゼンダ）、Ｙ（イエロー）、Ｋ（ブラック）の４色のインクを使用する印刷ヘッド、紙送り装置、回復装置を備えカラー印刷を行う。印刷ヘッドには複数個のノズル（インク吐出口）が設けられており、ノズルからインク吐出を行いながら、紙送り装置で記録用紙を送り画像を記録用紙に印刷する。
【００３７】
原稿カバー体８の前方には、横長形状の操作パネル６が設けられており、操作キー１５、ＬＣＤ１６、そのＬＣＤ１６と一体的に構成されている周知のタッチパネル１７とを具備する。操作キー１５には、電話機能やファクシミリ機能を利用する場合に電話番号を入力するための数字ボタン１５ａや、ＭＦＰ１の電源のオン／オフを行うための電源ボタン１５ｂなどの各種ボタンが設けられている。
【００３８】
ＬＣＤ１６は、画像や情報を表示する表示画面であり、例えば、操作手順や実行中の処理の状態が表示されると共に、操作キー１５やタッチパネル１７の押下に対応する情報が表示される。
【００３９】
また、ＭＦＰ１の電話機能やファクシミリ機能を利用する場合に、ＬＣＤ１６には、
着信画面５１（例えば、図４（ａ）参照）や、不在着信履歴画面５２（例えば、図４（ｂ）参照）や、発信画面５３（例えば、図６（ｂ）参照）が表示される。詳細は後述するが、本実施形態のＭＦＰ１は、ＬＣＤ１６に発信画面５５などを表示する際に、電話帳メモリ１４ｂ（図２参照）に予め登録（記憶）されている人物について、その人物に関する情報（以下、「人物情報」と称する場合がある）と、その人物を含む画像とを表示するように構成されている。
【００４０】
ＭＦＰ１の側部には、送受話器２２が設けられている。この送受話器２２は、ユーザが電話機能を使用して、電話回線網１００（図２参照）を介して接続される外部装置との間で通話を行う場合に使用される。非通話時には、送受話器２２はフック（図示しない）が設けられた載置台上に置かれ、通話時には載置台から取り上げられて使用される。尚、本実施形態では、前者をオンフック状態、後者をオフフック状態と称す。送受話器２２は、オフフック状態となるとＮＣＵ２３（図２参照）と電気的に接続され、オンフック状態と
なると、ＮＣＵ２３との接続が解除される。
【００４１】
次に、図２を参照して、ＭＦＰ１の電気的構成について説明する。図２は、ＭＦＰ１の電気的構成を示すブロック図である。ＭＦＰ１は、ＣＰＵ１１、ＲＯＭ１２、ＲＡＭ１３、ＥＥＰＲＯＭ１４、操作キー１５、ＬＣＤ１６、タッチパネル１７、計時回路１８、スキャナ２０、プリンタ２１、送受話器２２、ＮＣＵ２３、モデム２４とを主に有している。
【００４２】
ＣＰＵ１１、ＲＯＭ１２、ＲＡＭ１３は、バスライン２６を介して互いに接続されている。また、ＥＥＰＲＯＭ１４、操作キー１５、ＬＣＤ１６、タッチパネル１７、計時回路１８、スキャナ２０、プリンタ２１、送受話器２２、ＮＣＵ２３、モデム２４、バスライン２６は、入出力ポート２７を介して互いに接続されている。
【００４３】
ＣＰＵ１１は、ＲＯＭ１２やＲＡＭ１３に記憶される固定値やプログラム或いは、ＮＣＵ２３を介して送受信される各種信号に従って、ＭＦＰ１が有している各機能の制御や、入出力ポート２７と接続された各部を制御するものである。
【００４４】
ＲＯＭ１２は、ＣＰＵ１１により実行される制御プログラムや、その実行の際に参照される固定値データが記憶されている。なお、ＲＯＭ１２は、後述する図５及び図７に示すフローチャートを実行させることによって、通信先となる相手、即ち、発信相手や着信相手についての把握を容易化する装置としてＭＦＰ１を機能させる通信プログラム１２ａを記憶する領域を有している。また、ＲＡＭ１３は、書き替え可能な揮発性のメモリであり、ＭＦＰ１の各操作の実行時に各種のデータを一時的に記憶するためのメモリである。
【００４５】
ＥＥＰＲＯＭ１４は、データを書き換え可能に記憶すると共に、電源遮断後も内容を保持可能な不揮発性のメモリである。図２に示すように、ＥＥＰＲＯＭ１４は、画像メモリ１４ａと、電話帳メモリ１４ｂと、発信履歴メモリ１４ｃと、不在着信履歴メモリ１４ｄと、人物から写真フラグ１４ｅとを有している。
【００４６】
画像メモリ１４ａは、画像データを記憶する領域である。この画像メモリ１４ａには、ケーブルを介してＭＦＰ１のインターフェイス（図示せず）に接続されたデジタルカメラなどの撮像装置やパーソナルコンピュータなどの外部装置から入力される画像データや、ＭＦＰ１のメディアスロット（図示せず）に装着された外部メディア（例えば、ＳＤカード（登録商標）やスマートメディア（登録商標）など）から読み出された画像データや、スキャナ２０により読み取った写真の画像データなどが記憶される。
【００４７】
電話帳メモリ１４ｂは、電話機能やファクシミリ機能などを用いて通信を行う際に使用する通信相手を指定する情報（例えば、電話番号や電子メールアドレスなど）と、その通信相手を特定する情報（例えば、氏名や住所など）とを対応付けた所謂電話帳を記憶する領域である。
【００４８】
本実施形態のＭＦＰ1は、画像を電話帳として利用できる構成とされている。そのため
、図２に示すように、電話帳メモリ１４ｂは、氏名や電話番号などの人物情報を記憶する領域である人物情報メモリ１４ｂ１と、人物情報メモリ１４ｂ１に記憶されている人物情報に対して画像データを対応付ける領域である画像情報メモリ１４ｂ２とを有している。なお、人物情報メモリ１４ｂ１及び画像情報メモリ１４ｂ２に記憶されるデータの構成については、図３を参照して後述する。
【００４９】
発信履歴メモリ１４ｃは、ＭＦＰ１の電話機能を用いてユーザが発信（通信の開始）を行った場合に、発信時刻と、通信相手を示す情報（例えば、電話番号）と、発信時に発信
画面５３（図６参照）の表示領域５３ａに表示した写真（画像）とを履歴として記憶する領域である。なお、発信履歴メモリ１４ｃに記憶される履歴を、以下、「発信履歴」と称することがある。
【００５０】
また、不在着信履歴メモリ１４ｄは、ＭＦＰ１が外部（通信相手）から通信要求を受けたが、通信が開始されることなくその通信要求が終了した場合に、その履歴（例えば、電話番号などの通信相手を示す情報が得られた場合には、その情報と通信要求があった時刻）を記憶する領域である。なお、不在着信履歴メモリ１４ｄに記憶される履歴を、以下、「不在着信履歴」と称することがある。
【００５１】
また、人物から写真フラグ１４ｅは、後述する発呼時処理（図７参照）において、人物情報に基づいてその人物情報に対応する写真を抽出するモードであるか否かを示すフラグである。この人物から写真フラグ１４ｅがオンであれば、人物情報に基づいてその人物情報に対応する写真を抽出するモードであることを示す。一方、この人物から写真フラグ１４ｅがオフである場合には、写真から人物情報を抽出するモードであることを示す。
【００５２】
計時回路１８は、現在の日時を刻む時計機能を有する既知の回路である。ＮＣＵ２３は、電話回線網１００と接続されており、電話回線網１００へのダイヤル信号の送出や、電話回線網１００からの呼出信号の応答などの制御を行うものである。モデム２４は、ファクシミリ機能により送信が指示された画像データを、電話回線網１００に伝送可能な信号に変調してＮＣＵ２３を介して送信したり、電話回線網１００からＮＣＵ２３を介して入力された信号を受信し、ＬＣＤ１６に表示したりプリンタ２１で記録可能な画像データに復調するものである。
【００５３】
次に、図３を参照して、上述した人物情報メモリ１４ｂ１及び画像情報メモリ１４ｂ２に記憶されるデータ構成について説明する。図３（ａ）は、人物情報メモリ１４ｂ１に記憶されるデータ構成の一例を示す模式図であり、図３（ｂ）及び図３（ｃ）は、それぞれ、画像情報メモリ１４ｂ２に記憶されるデータ構成の一例を示す模式図である。
【００５４】
図３（ａ）に示すように、人物情報メモリ１４ｂ１には、電話帳登録された人物毎に、人物情報ＰＤと、その人物情報ＰＤを個々に識別可能とする人物番号Ｐ１とが対応付けられて記憶されている。
【００５５】
人物情報ＰＤは、例えば、通信先の名称を示す情報である氏名Ｐ２や通信先を示す情報である電話番号Ｐ３を示す情報を含んで構成される。また、氏名Ｐ２及び電話番号Ｐ３以外に、付加的な情報である住所Ｐ４（図４（ａ）など参照）や個人の特徴などを示す情報が人物情報ＰＤに含まれる。なお。通信先を示す情報として、電話番号Ｐ３以外に電子メールアドレスが含まれていてもよい。
【００５６】
人物番号Ｐ１は、登録された人物毎に異なる番号が割り当てられるように構成されており、各人の人物情報ＰＤを特定する識別情報として人物情報メモリ１４ｂ１に記憶される情報である。なお、図３（ａ）では、人物番号Ｐ１が１から始まる連番である場合を例示しているが、登録された人物毎に異なる番号を割り当てるという条件さえ満たされるのであれば、１から始まっていなくても、連番でなくてもよい。
【００５７】
一方、図３（ｂ）及び図３（ｃ）に示すように、画像情報メモリ１４ｂ２には、画像名Ｑ１によって特定される１の画像データ毎に、領域情報Ｑ２と、人物番号Ｑ３とが対応付けられている。
【００５８】
画像名Ｑ１は、画像データメモリ１４ａに記憶されている画像データの中から、１の画
像データを特定する情報であり、画像データに付されたファイル名や内部番号などを使用できる。即ち、この画像名Ｑ１の内容によって、画像データメモリ１４ａに記憶されている１の画像データが特定される。
【００５９】
従って、図３（ｂ）は、画像データメモリ１４ａに記憶されている画像データのうち「近所友人」の写真（画像）に対するデータ構成を示す模式図であり、図３（ｃ）は、画像データメモリ１４ａに記憶されている画像データのうち「会社同僚」の写真に対するデータ構成を示す模式図である。
【００６０】
領域情報Ｑ２は、画像名Ｑ１により特定される画像データの描画領域内に設定されている領域を示す情報であり、該領域の形状を示す情報（「形状」）と、該領域の大きさを示す情報（「大きさ」）と、画像データにおける該領域の位置を特定する座標情報（「Ｘ方向」及び「Ｙ方向」）とを含んで構成される。なお、この座標情報としては、例えば、領域の中心座標が使用される。
【００６１】
人物番号Ｑ３は、領域情報Ｑ２により特定される領域に対応付けられる人物情報を特定する番号であり、人物情報メモリ１４ｂ１（図３（ａ））に記憶されている人物番号Ｐ１の中から選択されて記憶される。よって、領域情報Ｑ２により特定される領域に対して、人物番号Ｑ３が対応付けられることにより、領域情報Ｑ２により特定される領域に対し、人物情報メモリ１４ｂ１において人物番号Ｑ３に対応する人物情報ＰＤが対応付けられることになる。
【００６２】
例えば、図３（ｂ）に示すように、「近所友人」の写真内における（Ｘ方向，Ｙ方向，形状，大きさ）が（７，５，楕円２，１．６）である領域に対し、人物番号「１」が対応付けられている場合には、かかる領域に対し、人物情報メモリ１４ｂ１（図３（ａ））における人物番号「１」に対応する人物情報ＰＤ、即ち、氏名Ｐ２が「鈴木次郎」であり、電話番号Ｐ３が「０５２−ｘｘｘ−１１１１」である人物情報が対応付けられることになる。
【００６３】
また、図３（ｂ）に示すように、「近所友人」の写真には、上述した領域以外に、２か所の領域が設定されており、これらの領域に対しては、人物番号「２」により特定される人物情報ＰＤ（「加藤太郎」など）、及び人物番号「３」により特定される人物情報ＰＤ（「木村Ａ介」など）が対応付けられている。このように、本実施形態のＭＦＰ１では、１枚の画像データ（画像、写真）に対し、複数の人物情報ＰＤを対応付けることができるように構成されている。
【００６４】
同様に、「会社同僚」の写真には、３か所の領域が設定されており、これらの領域に対して、人物番号「１」により特定される人物情報ＰＤ（「鈴木次郎」など）、人物番号「４」により特定される人物情報ＰＤ（「高橋Ｂ二」など）、及び人物番号「５」により特定される人物情報ＰＤ（「佐藤Ｃ作」など）が対応付けられている（図３（ｃ）参照）。
【００６５】
ここで、「近所友人」の写真及び「会社同僚」の写真の両方に、人物番号「１」により特定される同一人物の人物情報ＰＤが対応付けられている。このように、本実施形態のＭＦＰ１では、人物番号Ｑ１（人物番号Ｐ１）によって人物情報メモリ１４ｂ１から人物情報ＰＤを参照するように構成されているので、画像データ毎に、人物情報を対応付けて記憶する必要がない。従って、複数の画像データに対して同じ人物情報を対応付ける場合であっても、ＥＥＰＲＯＭ１４における記憶領域の無駄な消費を抑制することができる。
【００６６】
また、複数の写真（画像、画像データ）に対して同じ人物情報ＰＤを対応付ける必要がある場合には、時間的に後で人物情報ＰＤを対応付けることになった写真（例えば、「会
社同僚」の写真）に対し、既に他の写真（例えば、「近所友人」の写真）に対応付けられている人物情報ＰＤを用いて対応付けるので、ＣＰＵ１１は各写真に対応付けられている人物情報の同一性を認識することができる。よって、どの写真からも同じ人物情報ＰＤを抽出できると共に、人物情報ＰＤからその人物情報ＰＤを含む全ての写真を抽出することができる。
【００６７】
次に、図４及び図５を参照して、電話帳メモリ１４ｂに記憶（登録）された写真を利用して、通信要求のあった通信相手をユーザに知らせる場合について説明する。まず、図４を参照して、図５のフローチャートにより示す被呼時処理の実行中にＬＣＤ１６に表示される画面について説明する。図４は、後述する被呼時処理（図５参照）の実行中にＬＣＤ１６に表示される画面の模式図である。
【００６８】
図４（ａ）は、通信要求（着呼）があった場合にＬＣＤ１６に表示される着信画面５１を示す模式図である。図４（ａ）に示すように、ＬＣＤ１６を２つに分割し、そのうち向かって左側には、１枚の写真（画像）を表示できる表示領域５１ａが設けられている。
【００６９】
詳細は後述するが、通信要求があった場合には、被呼時処理（図５参照）により予め決められているルールに従って選択された１の写真が表示される。その際、通信要求をしてきた相手が電話帳メモリ１４ｂに記憶されている人物であれば、通信相手に対応する領域５１ｂが、人物情報ＰＤが対応付けられている他の領域５１ｃとは区別可能に点滅して強調される。
【００７０】
このように、表示領域５１ａに写真が表示（出力）された場合に、通信要求をしてきた通信相手に対応する領域５１ｂが、人物情報ＰＤが対応付けられている他の領域５１ｃと異なる態様で区別されるので、通信要求をしてきた通信相手を容易に特定できる。
【００７１】
また、通信要求があった場合、ＬＣＤ１６に表示された着信画面５１における向かって右側の領域５１ｄには、「着信あり」という表示５１ｅと回線の閉結を指示するスピーカホンボタン５１ｆとが表示されると共に、通信要求をしてきた通信相手が電話帳メモリ１４ｂに記憶されている相手であれば、通信相手の人物情報ＰＤが表示される。ここで、着信画面５１の表示中に、ユーザがスピーカホンボタン５１ｆをタッチすると、回線が閉結されて通信相手との通話が可能となる。
【００７２】
よって、本実施形態ＭＦＰ１によれば、着信時には、通信要求をしてきた相手を含む写真と人物情報ＰＤとが同時にＬＣＤ１６に表示されるので、人物情報ＰＤから、通信要求をしてきた相手に関する直接的な情報を得ることができると共に、対応する写真から、通信要求をしてきた相手に関する間接的な情報（例えば、その相手を含む人間関係など）を得ることができ、ユーザは通信相手の把握を行い易い。
【００７３】
また、図４（ａ）に示すように、氏名Ｐ２と電話番号Ｐ３と住所Ｐ４とが、人物情報ＰＤとして着信画面５１（領域５１ｄ）に表示される。このように、着信画面５１には、氏名Ｐ２や電話番号Ｐ３以外に住所Ｐ４のような付加的な情報が表示されるので、ユーザが通信相手を連想し易く特定し易い。
【００７４】
なお、通信要求をしてきた通信相手を含む写真が複数存在する場合には、図４（ａ）に示すように、通信要求をしてきた通信相手を含む写真の写真名が表記された複数のタブ５１ｇが表示され、ユーザがタッチすることによって表示領域５１ａに表示する写真を変更することができる。よって、ユーザは、タブ５１ｇを適宜タッチして表示領域５１ａに表示する写真を切り替えることによって、通信要求をしてきた通信相手に関する情報をよく把握した上で通話を開始することができる。
【００７５】
図４（ｂ）及び（ｃ）は、不在着信履歴の状況を示す不在着信履歴画面５２を示す模式図である。より具体的には、図４（ｂ）は、不在着信履歴メモリ１４ｄに記憶されている不在着信履歴が１件である場合の不在着信履歴画面５２を示す模式図であり、図４（ｃ）は、不在着信履歴が複数ある場合の不在着信履歴画面５２を示す模式図である。
【００７６】
図４（ｂ）及び（ｃ）に示すように、ＬＣＤ１６に表示された不在着信履歴画面５２における向かって左側には、１枚の写真（画像）を表示できる表示領域５２ａが設けられている。この表示領域５２ａの下方には、タブ５２ｂ（図４（ｂ））又はタブ５２ｃ（図４（ｃ）が表示されており、ユーザがタッチすることによって表示領域５２ａに表示する写真を選択することができる。
【００７７】
図４（ｂ）に示すように、不在着信履歴が１件である場合には、タブ５２ｂには、写真名が表記され、図４（ｃ）に示すように、不在着信履歴が複数である場合には、タブ５２ｃには、着信時刻が表記される。
【００７８】
ここで、図４（ｂ）に示すように、１件の不在着信履歴として残された通信相手を含む写真が複数存在する場合には、それらの写真名を含む複数のタブ５２ｂが表示される。また、図４（ｃ）に示すように、不在着信履歴が複数である場合には、その着信時刻毎にタブ５２ｃが対応付けられる。なお、不在着信履歴として残された通信相手を複数含む写真が存在する場合には、図４（ｃ）に示すように、１の写真に対して複数のタブ５２ｃが対応付けられる。
【００７９】
ユーザは、タブ５２ｂやタブ５２ｃを適宜タッチして表示領域５２ａに表示する写真を切り替えることができる。そのため、不在着信履歴が複数あることにより表示すべき写真が複数存在したり、１件の不在着信履歴として残された通信相手を含む写真が複数存在したりする場合であっても、タブ５２ｃやタブ５２ｂの操作（タッチ）によりそのうちの１の写真のみを表示領域５２ａに表示させることができる。
【００８０】
よって、タブ５２ｃやタブ５２ｂの操作により選択された１の写真を表示領域５２ａ全体に大きく表示できるので、ユーザが表示された写真を目視し易く、通信要求をしてきた相手（不在着信履歴に残されている相手を含む）を特定し易い。また、タブ５２ｂ，５２ｃを利用して、複数の写真の中から１の写真をユーザの必要に応じて選択できるので、写真の選択を行い易く、使い勝手が良い。
【００８１】
また、図４（ｂ）に示すように、不在着信履歴画面５２において表示画面５２ａに写真が表示される場合には、不在着信履歴として残されている通信相手に対応する領域５２ｄが、人物情報ＰＤが対応付けられている他の領域５２ｆとは区別可能に点滅して強調されると共に、その近傍に着信時刻５２ｅが表示される。
【００８２】
このように、不在着信履歴が存在する場合には、表示領域５２ａに表示される写真内における不在着信履歴として残されている通信相手に対応する領域が、人物情報ＰＤが対応付けられている他の領域５２ｆとが異なる態様で区別されるので、不在着信履歴として残されている通信相手を容易に特定できる。
【００８３】
さらに、複数の通信先について不在着信履歴が存在する場合には、図４（ｃ）に示すように、不在着信履歴として残されている通信相手に対応する領域５２ｄが、人物情報ＰＤが対応付けられている他の領域５２ｆとは区別可能に点滅して強調されるだけでなく、不在着信履歴として残されている通信相手に対応する領域５２ｄ，５２ｇが互いに区別可能な態様（例えば、点滅間隔の相違や点滅色の相違など）で表示される。また、各領域５２
ｄ，５２ｇの近傍には、着信時刻５２ｅが表示される。
【００８４】
また、図４（ｃ）に示すように、複数（複数件数）の不在着信履歴が存在する場合には、最新の不在着信履歴として残されている通信相手の人物情報ＰＤが対応付けられている写真が優先的に表示される。よって、着信画面６１から不在着信履歴画面５２に表示が切り替わった場合、又は、ユーザによる指示によって他の画面から不在着信履歴画面５２へ表示が切り替わった場合には、最新の不在着信履歴とされる通信相手を含む写真が優先的に表示領域５２ａに表示されるので、ユーザは、不在着信履歴画面５２から、最近に通信要求をしてきた通信相手を知ることができる。
【００８５】
よって、１の写真内において、不在着信履歴に残されている通信相手に対する各領域が互いに区別可能な態様で出力されるので、ユーザは、１の写真から、複数の不在着信履歴の存在することを知ることができると共に、不在着信履歴に残されているそれらの通信相手の関係を表示領域５２ａに出力された１の写真から直感的に把握することができる。
【００８６】
一方、ＬＣＤ１６に表示された不在着信履歴画面５２における向かって右側の領域５２ｈには、通信相手を示す人物情報ＰＤが表示される。なお、不在着信履歴が複数である場合には、最新の不在着信履歴として残されている通信相手の人物情報ＰＤ又はユーザによって選択された写真及び領域に対応付けられた人物情報ＰＤが表示される。
【００８７】
また、領域５２ｈには、領域５２ｈに表示された人物情報ＰＤの電話番号へダイヤルするためのダイヤルボタン５２ｉが表示される。ユーザは、領域５２ｈに人物情報ＰＤが表示された状態でダイヤルボタン５２ｉをタッチすることによって、その通信相手（即ち、領域５２ｈに人物情報ＰＤが表示されている通信相手）への発呼を開始することができる。よって、ユーザは、表示領域５２ａに表示される写真に基づいて、不在着信履歴として残されている通信相手に関する情報をよく把握した上で発呼（返信）を行うことができる。
【００８８】
ここで、図４（ｂ）及び（ｃ）に示すように、氏名Ｐ２と電話番号Ｐ３と住所Ｐ４とが、人物情報ＰＤとして不在着信履歴画面５２（領域５２ｈ）に表示される。このように、不在着信履歴画面５２には、氏名Ｐ２や電話番号Ｐ３以外に住所Ｐ４のような付加的な情報が表示されるので、不在着信履歴として残されている通信相手をユーザが連想し易く、特定し易い。
【００８９】
このように、本実施形態ＭＦＰ１によれば、不在着信履歴として残されている通信相手を含む写真と人物情報ＰＤとが同時にＬＣＤ１６に表示されるので、人物情報ＰＤから、不在着信履歴として残されている通信相手に関する直接的な情報を得ることができると共に、対応する写真から、その相手に関する間接的な情報（例えば、その相手を含む人間関係など）を得ることができ、ユーザは不在着信履歴として残されている通信相手の把握を行い易い。
【００９０】
次に、図５を参照して、通信要求があった場合の処理である被呼時処理の内容について説明する。図５は、ＭＦＰ１で実行される被呼時処理を示すフローチャートである。この被呼時処理は、所定の通信相手から通信要求があった場合に起動し、まず、不在着信履歴メモリ１４ｄに不在着信履歴が記憶されているかを確認する（Ｓ１１）。
【００９１】
Ｓ１１の処理により確認した結果、不在着信履歴メモリ１４ｄに不在着信履歴が記憶されている場合には、通信要求をしている通信相手が不在着信履歴として残されている他人と共に写っている写真が電話帳メモリ１４ｂ（画像情報メモリ１４ｂ２）に登録されているかを確認する（Ｓ１２）。
【００９２】
Ｓ１２の処理により確認した結果、通信要求をしている通信相手が不在着信履歴として残されている他人と共に写っている写真が電話帳メモリ１４ｂに登録されている場合には（Ｓ１２：Ｙｅｓ）、その写真、即ち、通信要求をしている通信相手と不在着信履歴として残されている他人とが共に写っている写真を用いて着信画面５１をＬＣＤ１６に表示する（Ｓ１３）。このとき、通信相手に対応付けられている領域を他の部分と区別可能するべく点滅表示する（図４（ａ）参照）。
【００９３】
一方で、Ｓ１１の処理により確認した結果、不在着信履歴メモリ１４ｄに不在着信履歴が記憶されていない場合（Ｓ１１：Ｎｏ）、あるいは、Ｓ１２の処理により確認した結果、通信要求をしている通信相手と不在着信履歴として残されている他人とが共に写っている写真が電話帳メモリ１４ｂに登録されていない場合（Ｓ１２：Ｎｏ）には、通信要求をしている通信相手への発信履歴が発信履歴メモリ１４ｃに記憶されているかを確認する（Ｓ１７）。
【００９４】
Ｓ１７の処理により確認した結果、通信要求をしている通信相手への発信履歴が発信履歴メモリ１４ｃに記憶されている場合には（Ｓ１７：Ｙｅｓ）、発信履歴メモリ１４ｃに記憶されている発信履歴の中から、最後の発信時に使用した写真を用いて着信画面５１をＬＣＤ１６に表示する（Ｓ１８）。このとき、通信相手に対応付けられている領域を他の部分と区別可能するべく点滅表示する（図４（ａ）参照）。
【００９５】
一方で、Ｓ１７の処理により確認した結果、通信要求をしている通信相手への発信履歴が発信履歴メモリ１４ｃに存在しなければ（Ｓ１７：Ｎｏ）、通信要求をしてきた通信相手に対応付けられている写真が電話帳メモリ１４ｂ（画像情報メモリ１４ｂ２）に複数存在するか否かを確認する（Ｓ１９）。
【００９６】
Ｓ１９の処理により確認した結果、通信要求をしてきた通信相手に対応付けられている写真が複数存在する場合には（Ｓ１９：Ｙｅｓ）、その中に集合写真（即ち、複数の被写体が写っている写真）があるかを確認する（Ｓ２０）。
【００９７】
Ｓ２０の処理により確認した結果、集合写真がある場合には（Ｓ２０：Ｙｅｓ）、集合写真のうち、最初に電話帳メモリ１４ｂに記憶（登録）した写真を用いて着信画面５１をＬＣＤ１６に表示する（Ｓ２１）。このとき、通信相手に対応付けられている領域を他の部分と区別可能するべく点滅表示する（図４（ａ）参照）。
【００９８】
一方で、Ｓ２０の処理により確認した結果、集合写真がなければ（Ｓ２０：Ｎｏ）、最初に電話帳メモリ１４ｂに記憶した写真を用いて着信画面５１をＬＣＤ１６に表示する（Ｓ２３）。このとき、通信相手に対応付けられている領域を他の部分と区別可能するべく点滅表示する（図４（ａ）参照）。
【００９９】
また、Ｓ１９の処理により確認した結果、通信要求をしてきた通信相手に対応付けられている写真が複数存在しない場合には（Ｓ１９：Ｎｏ）、通信要求をしてきた通信相手に対応付けられている写真が電話帳メモリ１４ｂに存在するかを確認する（Ｓ２２）。
【０１００】
Ｓ２２の処理により確認した結果、通信要求をしてきた通信相手に対応付けられている写真が電話帳メモリ１４ｂに存在するのであれば（Ｓ２２：Ｙｅｓ）、最初に電話帳メモリ１４ｂに記憶したその１枚の写真を用いて着信画面５１をＬＣＤ１６に表示する（Ｓ２３）。このとき、通信相手に対応付けられている領域を他の部分と区別可能するべく点滅表示する（図４（ａ）参照）。
【０１０１】
一方で、Ｓ２２の処理により確認した結果、通信要求をしてきた通信相手に対応付けられている写真が電話帳メモリ１４ｂに存在しなければ、通信相手とは無関係に予め決められた画像（例えば、人物を模った形状と「ＮＯ  ＤＡＴＡ」という文字とが表示される画像など）を用いて着信画面５１をＬＣＤ１６に表示する（Ｓ２３）。
【０１０２】
Ｓ１３、Ｓ１８、Ｓ２１、Ｓ２３、又はＳ２４の処理後は、呼出鳴動を開始し（Ｓ１４）、スピーカホンボタン５１ｆがタッチされたかを確認する（Ｓ１５）。このとき、スピーカホンボタン５１ｆがタッチされた場合には（Ｓ１５：Ｙｅｓ）、回線を閉結して通話可能とし（Ｓ１６）、この被呼時処理を終了する。
【０１０３】
一方で、Ｓ１５の処理により確認した結果、スピーカホンボタン５１ｆがタッチされていなければ（Ｓ１５：Ｎｏ）、呼出が終了したか、即ち、通信相手からの通信要求が終了したかを確認する（Ｓ２５）。
【０１０４】
Ｓ２５の処理により確認した結果、呼出が継続されていれば（Ｓ２５：Ｎｏ）、Ｓ１５の処理へ戻る。一方で、Ｓ２５の処理により確認した結果、呼出が終了した場合には（Ｓ２５：Ｙｅｓ）、不在着信履歴として、通信要求を受けた時刻と、通信相手を示す情報としての電話番号とを不在着信履歴メモリ１４ｄに記憶する（Ｓ２６）。
【０１０５】
Ｓ２６の処理後、着信画面５１に換えて不在着信履歴画面５２をＬＣＤ１６に表示して（Ｓ２７）、この被呼時処理を終了する。なお、Ｓ２７の処理によって不在着信履歴画面５２をＬＣＤ１６に表示する場合、表示領域５２ａに最初に表示する画像は、上述したＳ１１〜Ｓ１３，Ｓ１７〜Ｓ１１と同様のルールに従って選択される。
【０１０６】
よって、本実施形態のＭＦＰ１で実行される被呼時処理によれば、通信要求があった場合には、Ｓ１１〜Ｓ１３，Ｓ１７〜Ｓ２１の処理により、予め決められているルールに従って選択された１の写真が着信画面５１の表示領域５１ａに表示されることになる。また、通信要求を受けたが、通信が開始されることなくその通信要求が終了した場合もまた、予め決められているルール（通信要求があった場合と同様のルール）に従って選択された１の写真が不在着信履歴画面５２の表示領域５２ａに表示されることになる。よって、ユーザは表示領域５１ａ，５２ａに表示された写真全体を参照して、その通信先に関する付加的な情報を容易に得ることができる。
【０１０７】
ここで、通信要求があった場合と通信が開始されることなく通信要求が終了した場合との両方において、予め決められているルールに基づき、優先的に表示される写真が決定される。
【０１０８】
このルールによれば、まず、現在処理中の相手（即ち、通信要求中の相手又は最新に通信要求してきた相手）以外の他の相手の不在着信履歴が既に存在する場合には、最新に通信要求をしてきた通信相手と不在着信履歴として残されている他人とが共に写っている写真が最優先で表示領域５１ａ，５２ａに表示される。即ち、電話帳メモリ１４ｂに登録されている写真の中から、最新に通信要求してきた相手を含む複数の人物情報ＰＤに対応付けられている写真が優先的に表示されるので、ユーザは、１の写真から複数の通信相手から通信要求（不在着信履歴とされている過去の通信要求を含む）があったことを知ることができ、効率的である。
【０１０９】
次に優先して表示領域５１ａ，５２ａに表示される写真は、現在処理中の相手に対する発信履歴の中から最後の発信時に使用した写真である。このように、発信履歴に残されている写真が表示されるので、ユーザ自身が過去に通信要求をした記憶に基づいて、通信要求をしてきた通信相手（不在着信履歴として残されている通信相手を含む）を知ることが
できる。特に、発信履歴の中から最後の発信時に使用した写真が表示されるので、ユーザ自身が通信要求をしてきた通信相手（不在着信履歴として残されている通信相手を含む）を思い出し易い。
【０１１０】
その次に優先して表示領域５１ａ，５２ａに表示される写真は、現在処理中の相手を含む集合写真（即ち、複数の被写体が写っている写真）である。このように、集合写真が表示されるので、ユーザは、表示された集合写真を参照することによって、通信要求をしてきた通信相手（不在着信履歴として残されている通信相手を含む）に関し、例えば、その相手を含む人間関係などの間接的な情報を得ることができ、多く情報を得ることができる。
【０１１１】
また、電話帳メモリ１４ｂに最初に登録された写真、即ち、人物情報ＰＤが最初に人物情報メモリ１４ｂ１に記憶された際に対応付けられた写真が優先的に使用されるので、ユーザが人物情報ＰＤと写真との対応を取り易く、ユーザが通信要求をしてきた通信相手（不在着信履歴として残されている通信相手を含む）を把握し易い。
【０１１２】
次に、図６及び図７を参照して、電話帳メモリ１４ｂに記憶された電話帳を利用して所定の通信相手へ発呼する場合について説明する。まず、図６を参照して、図７のフローチャートにより示す発呼時処理の実行中にＬＣＤ１６に表示される発信画面５３について説明する。図６は、発信画面５３を示す模式図である。
【０１１３】
図６（ａ）は、所望の人物情報ＰＤを含む写真を選択する際の発信画面５３の状態を示す図であり、ＬＣＤ１６を２つに分割し、そのうち左側に１枚の写真（画像）を表示できる表示領域５３ａが設けられており、この表示領域５３ａに１の写真が表示される。この表示領域５３ａの下方には、表示領域５３ａに表示する写真を選択可能なタブ５３ｂが表示される。ユーザは、自身の指などで所望の発信先（発信相手）を含む写真に対応するタブ５３ｂをタッチすることにより、タッチされたタブ５３ｂに対応する写真を表示領域５３ａに表示させることができる。
【０１１４】
図６（ｂ）は、表示領域５３ａに表示中の写真内から所望の発信先の人物情報ＰＤが対応付けられている領域（ボタン）がタッチされた際の発信画面５３の状態を示す図である。人物情報ＰＤが対応付けられている領域（例えば、図６における領域５３ｃ）がタッチされると、タッチされた領域５３ｃが他の部分とは区別可能に点滅して強調される。
【０１１５】
また、人物情報ＰＤが対応付けられている領域５３ｃがタッチされた場合には、ＬＣＤ１６に表示された発信画面５３における向かって右側の領域５３ｄに、タッチされた（即ち、選択された）領域５３ｃに対応付けられている人物情報ＰＤが表示されると共に、領域５３ｄに表示された人物情報ＰＤの電話番号へダイヤルするためのダイヤルボタン５３ｅが表示される。
【０１１６】
図６（ｃ）は、領域５３ｄに表示された人物情報ＰＤ（即ち、表示画面５３ａに表示された写真内の領域５３ｃに対応付けられている通信相手）を通信相手として確定し、ダイヤルする際の発信画面５３の状態を示す図である。図６（ｃ）に示すように、ユーザは、領域５３ｄに人物情報ＰＤが表示された状態でダイヤルボタン５３ｅをタッチすることによって、その通信相手（即ち、領域５３ｃに対応付けられている通信相手）への発呼を開始することができる。
【０１１７】
図６（ｄ）は、人物情報に基づいてその人物情報に対応する写真を抽出するモードである場合に、領域５３ｄに表示された人物画像５３ｆがタッチされたときの発信画面５３の状態を示す図である。図６（ｄ）に示すように、ＬＣＤ１６における向かって右側の領域
５３ｄには、領域５３ｃから切り出した人物画像５３ｆが表示される。
【０１１８】
ユーザは、人物情報に基づいてその人物情報に対応する写真を抽出するモードである場合に、領域５３ｄに表示された人物画像をタッチすることによって、人物画像５３ｆに対応する写真（即ち、領域５３ｄに表示されている人物情報ＰＤ）に対応付けられている写真を抽出することができ、タブ５３ｂの操作（タッチ）によって任意の１枚を選択して表示させることができる。
【０１１９】
次に、図７を参照して、電話帳から所望の相手先へ発呼する発呼時処理の内容について説明する。図７は、ＭＦＰ１で実行される発呼時処理を示すフローチャートである。この発呼時処理は、ユーザにより電話モードを選択する指示が入力されると起動する処理である。
【０１２０】
この発呼時処理は、起動すると、まず、人物から写真フラグ１４ｅをオフし（Ｓ３１）、発信画面５３（図６（ａ）参照）を表示する（Ｓ３２）。このとき、発信画面５３の表示領域５３ａには、電話帳メモリ１４ｂに登録されている１の写真を表示すると共に、電話帳メモリ１４ｂに登録されている全ての写真に対応するタブ５３ｂを表示する。
【０１２１】
Ｓ３２の処理後、発信画面５３におけるダイヤルボタン５３ｅがタッチされたかを確認する（Ｓ３３）。Ｓ３３の処理により確認した結果、ダイヤルボタン５３ｅがタッチされていない場合には（Ｓ３３：Ｎｏ）、領域５３ｄに表示された人物画像５３ｆがタッチされたかを確認する（Ｓ３４）。ここで、人物画像５３ｆがタッチいなければ（Ｓ３４：Ｎｏ）、Ｓ３５の処理へ移行する。
【０１２２】
一方で、Ｓ３４の処理により確認した結果、人物画像５３ｆがタッチされた場合には（Ｓ３４：Ｙｅｓ）、人物から写真フラグ１４ｅがオンであるかを確認する（Ｓ４４）。このとき、人物から写真フラグ１４ｅがオフであれば（Ｓ４４：Ｎｏ）、人物から写真フラグ１４ｅをオンする（Ｓ４７）。これによって、写真から人物情報を抽出するモードから、人物情報に基づいてその人物情報に対応する写真を抽出するモードに変更される。
【０１２３】
Ｓ４７の処理後、電話帳メモリ１４ｂに登録されている写真のうち、タッチされた人物画像５３ｆ（即ち、領域５３ｄに表示されている人物情報ＰＤ）に対応付けられている全ての写真を抽出して対応するタブ５３ｂを表示し（Ｓ４８）、Ｓ３５の処理へ移行する。
【０１２４】
Ｓ４８の処理の結果、ユーザは、電話帳メモリ１４ｂに登録されている写真のうち、人物画像５３ｆを含む全ての写真をタブ５３ｂの操作（タッチ）によって表示させることができる。
【０１２５】
一方で、Ｓ４４の処理により確認した結果、人物から写真フラグ１４ｅがオンであれば（Ｓ４４：Ｙｅｓ）、人物から写真フラグ１４ｅをオフする（Ｓ４５）。これによって、人物情報に基づいてその人物情報に対応する写真を抽出するモードから、写真から人物情報を抽出するモードに変更される。つまり、領域５３ｄに表示された人物画像５３ｆをタッチする毎に、人物情報に基づいてその人物情報に対応する写真を抽出するモードと、写真から人物情報を抽出するモードとが変更される。
【０１２６】
Ｓ４５の処理後、電話帳メモリ１４ｂに登録されている全ての写真に対応するタブ５３ｂを表示し（Ｓ４６）、Ｓ３５の処理へ移行する。よって、写真から人物情報を抽出するモードでは、電話帳メモリ１４ｂに登録されている全ての写真の中から登録されている人物情報ＰＤを抽出させることができる。
【０１２７】
Ｓ３５の処理では、表示領域５３ａに表示する写真として別の写真が選択されたか、即ち、表示領域５３ａに表示中の写真とは異なる写真のタブ５３ｂが選択されたかを確認する（Ｓ３５）。
【０１２８】
Ｓ３５の処理により確認した結果、表示写真が切り替えられた場合には（Ｓ３５：Ｙｅｓ）、表示領域５３ａに表示する写真を選択された写真に切り替え（Ｓ３６）、Ｓ３７の処理へ移行する。一方で、Ｓ３５の処理によって別の写真の選択が確認されない場合には（Ｓ３５：Ｎｏ）、Ｓ３６の処理をスキップして、Ｓ３７の処理へ移行する。
【０１２９】
Ｓ３７の処理では、選択人物が変更されたか、即ち、写真内の他の領域（ボタン）がタッチされたかを確認する（Ｓ３７）。Ｓ３７の処理により確認した結果、写真内の他の領域がタッチされて選択人物が変更された場合には（Ｓ３７：Ｙｅｓ）、人物から写真フラグ１４ｅをオフする（Ｓ３８）。
【０１３０】
Ｓ３８の処理後、電話帳メモリ１４ｂに登録されている全ての写真に対応するタブ５３ｂを表示し（Ｓ３９）、変更された人物の人物情報ＰＤ、即ち、選択された領域に対応付けられている人物情報ＰＤを、電話帳メモリ１４ｂ（人物情報メモリ１４ｂ１及び画像情報メモリ１４ｂ２）から読み出し、発信画面５３における領域５３ｄに表示し（Ｓ４０）、Ｓ３３の処理へ戻る。
【０１３１】
一方で、Ｓ３７の処理により確認した結果、選択人物が変更されていない場合、即ち、写真内の他の領域がタッチされていない場合には（Ｓ６５：Ｙｅｓ）、そのまま、Ｓ３３の処理へ戻る。
【０１３２】
また、Ｓ３３の処理により確認した結果、ダイヤルボタン５３ｅがタッチされた場合には（Ｓ３３：Ｙｅｓ）、領域５３ｄに表示中の人物情報ＰＤ（即ち、ユーザに選択された領域５３ｄに対応付けられている人物情報ＰＤ）に含まれる電話番号Ｐ３をダイヤルする（Ｓ４１）。Ｓ４１の処理後、発信履歴メモリ１４ｃに、発信時刻と、通信相手を示す情報としての電話番号と、表示領域５３ａに表示中の写真を示す情報とを発信履歴として記憶し（Ｓ４２）、発呼を開始し（Ｓ４２）、この発呼時処理を終了する。
【０１３３】
このように、本実施形態のＭＦＰ１において実行される発呼時処理は、ＬＣＤ１６（より具体的には、発信画面５３の表示領域５３ａ）に表示された写真（画像）を参照しつつ通信相手を決定することができる。よって、ＬＣＤ１６に表示された写真を基に通信相手を入力できるので、通信を開始するにあたり、写真から連想できる通信相手を選ぶことができ、通信相手に関する情報をよく把握した上で通信を開始できる。
【０１３４】
なお、図７に示す発呼時処理を、ユーザにより電話モードを選択する指示が入力されると起動する処理として説明したが、この発呼時処理は、不在着信履歴画面５２から発呼を行う場合にも適用できる。例えば、不在着信履歴画面５２をＬＣＤ１６に表示させる指示がユーザにより入力された場合に、Ｓ３２の処理において発信画面５３を表示する代わりに、不在着信履歴画面５２を表示させればよい。
【０１３５】
また、図７に示す発呼時処理を、ユーザにより電話モード（電話機能）を選択する指示が入力されると起動する処理として説明したが、ユーザによりファクシミリ送信モード（ファクシミリ機能）を選択する指示が入力された場合にも同様に適用できる。
【０１３６】
以上説明したように、第１実施形態のＭＦＰ１によれば、通信要求を受けているときに、その通信相手を示す人物情報ＰＤだけでなく、他の人物情報ＰＤにも対応付けられている写真が着信画面５１に表示（出力）された場合に、通信要求をしてきた通信相手に対応
する領域が、他の人物情報ＰＤに対応する領域と異なる態様で区別されるので、通信要求をしてきた通信先を容易に特定することができるので、使い勝手に優れている。
【０１３７】
同様に、不在着信履歴に残されている通信相手を示す人物情報ＰＤだけでなく、他の人物情報ＰＤにも対応付けられている写真が不在着信履歴画面５２に表示（出力）された場合に、不在着信履歴に残されている通信相手に対応する領域が、他の人物情報ＰＤに対応する領域と異なる態様で区別されるので、不在着信履歴に残されている通信相手を容易に特定することができるので、この点においても使い勝手に優れている。
【０１３８】
また、着信履歴画面５１や不在着信履歴画面５２を参照し、通信要求をしてきた通信相手（不在着信履歴に残されている通信相手を含む）に対応する領域を、他の個人情報ＰＤが対応付けられている領域との比較によって、通信要求をしてきた通信先に関する間接的な情報を得ることができる。
【０１３９】
また、第１実施形態のＭＦＰ１によれば、タブ５１ｆ，５２ｂ，５２ｃ，５３ｂを利用し、タッチパネル方式で複数の写真の中から１の写真を選択できるので、容易な操作で画像の選択を行うことができる。
【０１４０】
次に、図８を参照して、本発明の第２実施形態について説明する。図８は、本発明の第２実施形態における通信システム５００の電気的構成を示すブロック図である。上述した第１実施形態では、ユーザがＭＦＰ１の操作によって電話回線網１００を介した通信（電話やファクシミリ）を行うように構成したが、第２実施形態では、ＭＦＰ１に接続されたパーソナルコンピュータ（ＰＣ）２００の操作によって、電話回線網１００を介した通信（電話やファクシミリ）を行う。なお、この第２実施形態の画像情報処理システム５００を説明する上で、上記の第１実施形態と同一の部分には同一の符号を付して、その説明は省略する。
【０１４１】
図８に示すように、通信システム５００は、ＭＦＰ１とＰＣ２００とから構成され、ＭＦＰ１とＰＣ２００とは、ＭＦＰ１に設けられたインターフェイス（Ｉ／Ｆ）３１及びＰＣ２００に設けられたインターフェイス（Ｉ／Ｆ）２３１を介して通信可能に接続されている。
【０１４２】
ＭＦＰ１は、Ｉ／Ｆ３１が設置され、上述した図５及び図７に示すフローチャートを実行させる通信プログラム１２ａと人物から写真フラグ１４ｅとを備えていないこと以外は、上述した第１実施形態と同様に構成される。
【０１４３】
ＰＣ２００は、ＣＰＵ２１１、ＲＯＭ２１２、ＲＡＭ２１３、入力装置２１５、ＬＣＤ２１６、マイクロフォンを一体化したヘッドフォンであるヘッドセット２２２を主に有している。ＣＰＵ２１１、ＲＯＭ２１２、ＲＡＭ２１３は、バスライン２２６を介して互いに接続されている。また、入力装置２１５、ＬＣＤ２１６、ヘッドセット２２２、バスライン２２６は、入出力ポート２２７を介して互いに接続されている。
【０１４４】
ＣＰＵ２１１は、ＲＯＭ２１２やＲＡＭ２１３に記憶される固定値やプログラム或いは、ＮＣＵ２２３を介して送受信される各種信号に従って、ＰＣ２００が有している各機能の制御や、入出力ポート２２７と接続された各部を制御するものである。
【０１４５】
ＲＯＭ２１２は、ＣＰＵ２１１により実行される制御プログラムや、その実行の際に参照される固定値データが記憶されている。このＲＯＭ２１２は、通信プログラム２１２ａを記憶する領域を有している。通信プログラム２１２ａは、第１実施形態においてＭＦＰ１により実行された被呼時処理（図５参照）および発呼時処理（図７参照）に相当する処
理を実行するプログラムである。
【０１４６】
また、ＲＡＭ２１３は、書き替え可能な揮発性のメモリであり、ＰＣ２００の各操作の実行時に各種のデータを一時的に記憶するためのメモリである。このＲＡＭ２１３は、人物から写真フラグ２１３ａを有している。この人物から写真フラグ２１３ａは、第１実施形態における人物から写真フラグ１４ｅと同様のフラグであり、ＰＣ２００にて、第１実施形態においてＭＦＰ１により実行された被呼時処理（図５参照）に相当する処理を実行する際に、人物情報に基づいてその人物情報に対応する写真を抽出するモードであるか否かを示すフラグである。
【０１４７】
入力装置２１５は、情報の入力や操作指示をＰＣ２００へ入力するための装置であり、キーボードやマウスなどを例示できる。なお、入力装置２１５を、ＬＣＤ２１６と一体的に構成されているタッチパネルとして構成してもよい。
【０１４８】
この第２実施形態では、被呼時処理（図５参照）および発呼時処理（図７参照）に相当する処理がＰＣ２００で実行される。具体的には、被呼時処理などにおいて、各画面５１〜５３は、ＬＣＤ２１６に表示され、ユーザの指によるタッチに換えて入力装置２１５の操作によって操作指示を行う。なお、各画面５１〜５３に表示される写真はＭＦＰ１の画像データメモリ１４ａから電話帳メモリ１４ｂの内容に応じて読み出される。
【０１４９】
以上説明したように、第２実施形態の画像情報処理システム５００によれば、第１実施形態のＭＦＰ１と同様に、通信要求をしてきた通信相手を示す人物情報ＰＤだけでなく、他の人物情報ＰＤにも対応付けられている写真がＬＣＤ２１６に表示（出力）された場合に、その通信相手に対応する領域が、他の人物情報ＰＤに対応する領域とが異なる態様で区別されるので、通信要求をしてきた通信先を容易に特定することができる。よって、上述した第１実施形態のＭＦＰと同様の利点を有する。
【０１５０】
以上、実施形態に基づき本発明を説明したが、本発明は上記実施形態に何ら限定されるものではなく、本発明の趣旨を逸脱しない範囲内で種々の改良変形が可能であることは容易に推察できるものである。
【０１５１】
例えば、不在着信履歴メモリ１４ｄに通信要求をしてきた通信相手からのメッセージを記憶させる構成とし、図９に示すように、メッセージがあったことを不在着信履歴画面５２に表示する構成としてもよい。図９は、不在着信履歴メモリ１４ｄに通信要求をしてきた相手からのメッセージが記憶されている場合にＬＣＤ１６に表示される不在着信履歴画面５２の一例を示す模式図である。
【０１５２】
図９に示すように、メッセージのあった通信相手に対応する写真を不在着信履歴画面５２の表示領域５２ａに表示する場合には、写真内におけるその通信相手に対応する領域５２ｄから延出する吹き出し５２ｊを表示する。ユーザは、この吹き出し５２ｊを確認することによって、領域５２ｄに対応する通信相手からメッセージが残されていることを知ることができる。
【０１５３】
ここで、ユーザが吹き出し５２ｊをタッチすると、領域５２ｄに対応する通信相手から残されたメッセージを再生するように構成してもよい。吹き出し５２ｊのタッチによってメッセージが再生されるので、ユーザは、直感的にメッセージの再生を行うことができる。
【０１５４】
また、上記各実施形態では、被呼時処理（図５参照）において、通信要求があった場合と通信が開始されることなく通信要求が終了した場合との両方において、予め決められて
いるルールに基づき表示される写真の優先度を決定した。この優先度については、被呼時処理（図５参照）に記載される条件や順序に限定されるものではなく、種々の条件を種々の順序で適宜採用することができる。
【０１５５】
ここで、不在着信履歴メモリ１４ｄに通信要求をしてきた通信相手からのメッセージを記憶させる構成とした場合、図１０に示すように、メッセージを残した通信相手を含む写真を優先的に表示する構成としてもよい。メッセージを残した通信相手を含む写真を優先的に表示することにより、ユーザは、メッセージが残されていることを確実に知ることができ、そのメッセージを聞き逃すことを防止できる。
【０１５６】
また、上記各実施形態では、着信画面５１や不在着信履歴画面５２や発信画面５３やなどにおいて、通信相手に対応する領域を他の領域とは区別可能な態様（例えば、点滅）で表示させることにより、該領域を目立たせるように構成した。この場合、通信相手に対応する領域を他の領域とは区別可能な態様としては、点滅や着色や強調表示などが例示される。
【０１５７】
また、着信画面５１において、通信要求中の通信相手と、既に不在着信履歴メモリ１４ｄに不在着信履歴として残されている他人とが共に含まれている写真を表示する場合には、通信要求中の通信相手に対応付けられている領域の表示態様と、不在着信履歴として残されている他人に対応付けられている表示態様とを異なるように構成してもよい。かかる構成により、通信要求中の通信相手を示すと、不在着信履歴として残されている他人を示す領域との比較によって、通信要求中の通信相手に関する情報量が増え、その通信先に関する理解を深めることが可能となる。
【０１５８】
また、上記各実施形態では、ＬＣＤ１６を２分割し、その向かって左側に写真を表示できる表示領域（表示領域５１ａなど）を設け、右側に個人情報ＰＤを表示できる領域（領域５１ｄなど）を設けたが、２分割に限らず、さらに多くの領域に分割して各領域に種々の情報を表示するように構成してもよい。これによって、ＬＣＤ１６に表示する情報量を増やすことができ、通信相手に関する把握をより深めることが可能となる。
【０１５９】
また、上記各実施形態では、タッチパネル１７と一体化されているＬＣＤ１６に表示された写真内の領域をタッチすることによって写真内に設定されている領域を指定（選択）するように構成した。これに換えて、ＬＣＤ１６に表示された写真内の画像を、操作キー１５の操作によって移動するカーソルやポインタなどによって、写真内に設定されている領域を指定（選択）するように構成してもよい。
【０１６０】
上記各実施形態では、１の人物情報ＰＤから、その人物情報ＰＤに対応する複数の写真を参照させることができることを例示したが、複数の写真に対して共通の人物情報ＰＤを対応付けられることにより、複数の写真に共通する人物情報ＰＤを参照させることも可能である。このように、複数の写真に共通する人物情報ＰＤを参照できることにより、１枚の写真だけでは得られない付加的な情報を容易に得ることができる。
【０１６１】
また、上記各実施形態では、写真に対して人物情報ＰＤ（即ち、人物に関する情報）を対応付ける構成としたが、写真に対応付ける情報は、人物情報に限定されるものではなく、必要に応じた種々の情報（例えば、被写体として含まれる装置や物体や自然物などに関する情報）を写真に対応付けてもよい。また、人物情報ＰＤを対応付ける対象は写真であることに限定されず、写真に換えて、絵画やキャラクタのグラフィックスなど種々の画像データに対して人物情報ＰＤを対応付ける構成としてもよい。
【０１６２】
また、上記各実施形態では、人物（顔）を、人物情報ＰＤを対応付ける領域として設定
するように構成したが、写真内に設定される領域としては、人物を対象にすることに限定されず、写真内の任意の領域を、人物情報ＰＤを対応付ける領域として設定できる。
【０１６３】
また、上記各実施形態では、１の領域に対して１の人物情報ＰＤを対応付けることを例示したが、１の領域に対して複数の人物情報ＰＤを対応付けてもよい。例えば、写真内に１軒の家が被写体として写っている場合に、その家を１の領域として設定し、その家に住む家族全員の人物情報を対応付けてもよい。
【０１６４】
また、上記各実施形態では、電話帳メモリ１４が、人物情報メモリ１４ｂ１と画像情報メモリ１４ｂ２とからなる構成とし、人物情報メモリ１４ｂ１に人物情報ＰＤを記憶しておき、画像情報メモリ１４ｂ２には、画像名Ｑ１と人物情報メモリ１４ｂ１に記憶される人物情報ＰＤに対応する人物番号Ｐ１とを記憶するものとした。かかるデータ構成により、複数の画像データに対して同じ人物情報を対応付ける場合であっても、ＥＥＰＲＯＭ１４における記憶領域の無駄な消費を抑制することができた。
【０１６５】
かかる構成に換えて、図１１（ａ）及び（ｂ）に示すようなデータ構成であってもよい。図１１（ａ）及び図１１（ｂ）は、それぞれ、電話帳メモリ１４ｂの変形例としての電話帳メモリ１４０ｂに記憶されるデータ構成を示す模式図である。
【０１６６】
図１１（ａ）及び図１１（ｂ）に示すように、電話帳メモリ１４０は、画像名Ｒ１によって特定される１の画像データ毎に、領域情報Ｒ２と、氏名Ｒ３や電話番号Ｒ４や住所（図示せず）などを含む人物情報ＰＤと、人物番号Ｒ５とを格納できるように構成されている。
【０１６７】
ここで、ある人物情報ＰＤが、最初に写真に対して対応付けられる場合には、例えば、図１１（ａ）の行Ｌ１に示すように、電話帳メモリ１４０における画像名Ｒ１「近所友人」により特定される画像データに対応付けられたデータ領域に、人物情報ＰＤが記憶される。
【０１６８】
これに対し、ある人物情報ＰＤが、他の写真に対して既に対応付けられる場合には、例えば、図１１（ｂ）の行Ｌ２に示すように、電話帳メモリ１４０における画像名Ｒ１「会社同僚」により特定される画像データに対応付けられたデータ領域に、人物情報ＰＤは記憶されず、人物番号Ｒ５に記憶された人物番号「Ａ１」によって、電話帳メモリ１４０における画像名Ｒ１「近所友人」により特定される画像データに対応付けられたデータ領域から人物情報ＰＤを参照できるように構成されている。
【０１６９】
よって、かかるデータ構成をとる場合もまた、複数の画像データに対して同じ人物情報を対応付ける場合であっても、ＥＥＰＲＯＭ１４における記憶領域の無駄な消費を抑制することができる。
【０１７０】
また、上記各実施形態では、画像データメモリ１４ａに記憶される画像データとは別に、電話帳メモリ１４に人物情報ＰＤや領域情報Ｑ２などを記憶するように構成したが、画像データのヘッダに人物情報ＰＤや領域情報Ｑ２などを記憶し、複数の画像データに同じ人物情報ＰＤが対応付けられる場合には、人物番号Ｐ１などの識別情報によって他の画像データに既に対応付けられている人物情報ＰＤを参照できる構成としてもよい。
【０１７１】
また、上記した被呼時処理（図５参照）において、通信要求をしてきた通信相手に対応付けられている写真が複数存在する場合（即ち、Ｓ１９：Ｙｅｓの場合）には、Ｓ２０の処理により、その中に集合写真があるかを確認するように構成した。かかる構成に換え、Ｓ２０の処理を省略して、通信要求をしてきた通信相手に対応付けられている写真が複数
存在する場合には、集合写真であるか単独写真であるかにかかわらず、最初に電話帳メモリ１４ｂに記憶した写真を着信画面５１に表示する構成としてもよい。
【０１７２】
また、上記第２実施形態では、画像メモリ１４ａ、電話帳メモリ１４ｂ（人物情報メモリ１４ｂ１，画像情報メモリ１４ｂ２）、発信履歴メモリ１４ｃ、及び不在着信履歴メモリ１４ｄがＭＦＰ１に設けられている構成としたが、これらのメモリ１４ａ〜１４ｄに相当するメモリの一部又は全部がＰＣ２００のＲＡＭ２１３に設けられている構成としてもよい。
【図面の簡単な説明】
【０１７３】
【図１】本発明の第１実施形態における多機能周辺装置（ＭＦＰ）の外観構成を示した斜視図である。
【図２】ＭＦＰの電気的構成を示すブロック図である。
【図３】（ａ）は、人物情報メモリに記憶されるデータの一例を示す模式図であり、（ｂ）及び（ｃ）は、それぞれ、画像情報メモリに記憶されるデータの一例を示す模式図である。
【図４】被呼時処理の実行中にＬＣＤに表示される画面の模式図である。
【図５】ＭＦＰで実行される被呼時処理を示すフローチャートである。
【図６】発信画面を示す模式図である。
【図７】ＭＦＰで実行される発呼時処理を示すフローチャートである。
【図８】本発明の第２実施形態における通信システムの電気的構成を示すブロック図である。
【図９】不在着信履歴メモリに通信要求をしてきた相手からのメッセージが記憶されている場合にＬＣＤに表示される不在着信履歴画面の一例を示す模式図である。
【図１０】不在着信履歴に表示する写真の優先度に対する変形例を示す模式図である。
【図１１】変形例としての電話帳メモリに記憶されるデータ構成を示す模式図である。
【符号の説明】
【０１７４】
１        ＭＦＰ
１４ａ    画像メモリ
１４ｂ    電話帳メモリ
１４ｃ    発信履歴メモリ
１４ｄ    不在着信履歴メモリ
１６      ＬＣＤ
１７      タッチパネル
２３      ＮＣＵ
５１ｆ    タブ
５２ｂ    タブ
５２ｃ    タブ
５３ｂ    タブ
ＰＤ      人物情報
Ｐ２      氏名
Ｐ３      電話番号
Ｐ４      住所
Ｑ２      領域情報
Ｒ２      領域情報
Ｒ３      氏名
Ｒ４      電話番号
１４０ｂ  電話帳メモリ
２００    ＰＣ
５００    通信システム
【図１】
0005516549.tif 000002
【図２】
0005516549.tif 000003
【図３】
0005516549.tif 000004
【図４】
0005516549.tif 000005
【図５】
0005516549.tif 000006
【図６】
0005516549.tif 000007
【図７】
0005516549.tif 000008
【図８】
0005516549.tif 000009
【図９】
0005516549.tif 000010
【図１０】
0005516549.tif 000011
【図１１】
0005516549.tif 000012